(57)【特許請求の範囲】
【請求項１】
ロフトベッド（２０）を有する上部構造と、作業テーブル（３０）を有する下部構造からなり、ロフトベッド（２０）の上方をベッドエリア（１１）、下方を作業エリア（１２）とし、この作業エリア（１２）内に設けた作業テーブル（３０）の前縁をロフトベッド（２０）の前縁よりも奧側へ引き込ませたシステムベッドにおいて、
ロフトベッド（２０）は、長さ方向に沿う分割線で分割され、幅方向に並んだ常設部（２１）と可動部（２２）とを備え、
常設部（２１）は、奥側へ常時寝た状態で配置され、可動部（２２）は、手前側に配置され、横に寝た倒伏状態と、上下方向に立てられた起立状態とに可変であり、
作業テーブル（３０）は、ロフトベッド（２０）の下方へ常設部（２１）と平行に設けられ、手前側の端部である前縁（３０ａ）は、倒伏状態にある可動部（２２）の前縁（２２ａ）よりも奧側へ引き込まれていることを特徴とするシステムベッド。
【請求項２】
作業テーブル（３０）の前縁（３０ａ）は、常設部（２１）と可動部（２２）の下方にて起立状態の可動部（２２）の前端位置（Ｄ）のほぼ同じ位置にあることを特徴とする請求項１記載のシステムベッド。
【請求項３】
可動部（２２）は、起立させたとき、底部（２２ｂ）がベッドエリア（１１）を隠す目隠しをなすことを特徴とする請求項１記載のシステムベッド。
【請求項４】
可動部（２２）の底部（２２ｂ）が外観部として装飾されていることを特徴とする請求項１記載のシステムベッド。
【請求項５】
ロフトベッド（２０）への昇降を可能にするハシゴ（５０）を有するとともに、このハシゴ（５０）は、上下方向に配置する起立状態と、ロフトベッド（２０）に略平行に配置した収納状態とに可変であり、
収納状態にして可動部（２２）と一緒に回動させたベッドエリア（１１）内へ収納することを特徴とする請求項１記載のシステムベッド。
【発明の詳細な説明】
【技術分野】
【０００１】
この発明は、ロフトベッドを設けた上部構造と、その下方に作業テーブルを設けた下部構造とからなるシステムベッドに係り、作業スペースでの作業を快適にしたものに関する。
本願において、長さとは、システムベッドを室内の壁面に沿って配置するとき、壁面に沿う水平方向（床面に平行な方向）の寸法であり、幅とはこれに直交し、壁面に直角な方向の寸法である。なお、壁面との関係でなく、平面視で略長方形をなすロフトベッドに対して、その長辺方向の寸法を長さ、短辺方向の寸法を幅とすることもある。
また、壁面側を奥側、それと反対側を手前側または前側ということにする。さらに壁面に向かって見たときの前面側を正面とする。左右は正面に向かったときの方向である。
【背景技術】
【０００２】
システムベッドは、上部構造と下部構造を上下に設けて立体的に使用できるようにしたものである。このシステムベッドには、上部構造にロフトベッドを設け下部構造に作業テーブルを設けるとともに、ロフトベッドの下方にて作業テーブルに向かって作業をするようにしたものがある（一例として特許文献１参照）。
【先行技術文献】
【特許文献】
【０００３】
【特許文献１】特開２００６−０５５４６９号公報
【発明の概要】
【発明が解決しようとする課題】
【０００４】
システムベッドは、室内を有効に利用するため、高さや幅を詰めてコンパクトにすることが要求されている。
このため、ベッドと作業テーブルを上下に配置し、作業テーブルに向かう作業はベッド下でおこなうようになっている。
そこで、作業テーブルに向かって作業するときは、システムベッドの外側へ座ることになり、作業スペースをコンパクトにできない。しかも、頭の近くにベッドが存在するので、これが鬱陶しく、かつぶつからないように注意しなければならず、快適な作業を困難にする。さらに、ベッドを使用しないときも、ベッドが見え、しかもベッドの上に置いた布団等の収納物も見えてしまうので、すこぶる外観が悪くなる。
【０００５】
また、作業スペースをコンパクトにするため、ベッドよりも小さな作業テーブルをベッド下方にて奧側へ引き込んで配置し、ベッドの下へ入って作業するようにすることも考えられる。
しかし、この場合には、作業中の頭の上をベッドが覆うので、なおさら鬱陶しく、かつ不意に立ち上がるとぶつかることがある。しかも、作業エリアへ入るときは、ベッドに頭をぶつけないように、頭を下げ、腰を屈めて入らなければならないという面倒がある。このため快適な作業が損なわれることになる。
したがって、ベッド不使用時の外観向上並びに作業テーブルでの作業を快適にできるようにすることが望まれている。
【課題を解決するための手段】
【０００６】
ロフトベッドを設けた上部構造と、その下方に作業テーブルを設けた下部構造とからなるとともに、ロフトベッドより小さな作業テーブルを、ロフトベッドの下方へ奧側へ引き込んで設けたシステムベッドにおいて、ロフトベッドを長さ方向に沿う分割線で２分し、幅方向に並んだ奥側の常設部と手前側の可動部とし、可動部を倒伏状態と起立状態とに可変とし、作業テーブルの前縁を倒伏状態にある可動部の前縁よりも奧側へ引き込まれた位置にした。
【０００７】
そこで、作業テーブルを使用するとき、予め可動部を起立状態とすると、作業テーブルの前縁より突出するロフトベッドの部分が少なくなる。
このため、作業テーブルに向かって座ろうとするとき頭がロフトベッドの前部とぶつかりにくくなる。また、作業テーブルに向かって座ったとき頭上を覆うロフトベッドの部分が少なくなるので、作業中における鬱陶しさが少なくなり、かつ不意に立ち上がったとき頭がぶつかりにくくなる。
【０００８】
また、可動部を起立状態にすると、可動部の底部がベッドスペースの手前側を塞いで隠し、目隠しとなる。
このため、可動部の底部は室内の装飾となる内装材の一つとして機能し、ベッドの存在や、ベッド上に置かれた布団等の収納物を見せなくする。
【０００９】
さらに、作業テーブルの前縁を、起立した可動部の前端の下方にてほぼ同じ位置にすると、可動部を起立させたとき、作業テーブルの前縁より上方にて、ロフトベッドの水平に突出する部分がなくなる。このため、作業テーブルに向かって座ろうとするときや、作業テーブルに向かって座った状態から不意に立ち上がるときにおいて、頭がぶつかることを確実に防止する。
また、頭上に覆うものがなくなるので、鬱陶しさがなくなる。
【発明の効果】
【００１０】
ロフトベッドを長さ方向に沿う分割線で２分し、幅方向に並んだ奥側の常設部と手前側の可動部とし、可動部を倒伏状態と起立状態に可変とし、作業テーブルの前縁を倒伏状態の可動部の前縁より奧側へ引き込まれた位置にした。
このため、ベッドを使用するときは、可動部を倒伏状態にすることで十分な面積のベッドにして快適に使用できる。
さらに、ベッドを不使用状態にするときは、可動部を起立状態とすることにより、ベッドエリアを塞いで外観されないようにするので、ロフトベッドが存在しないかのように見せて、外観性を向上させる。
【００１１】
また、作業テーブルで作業するときは、予め可動部を起立状態にするため、作業テーブルへ向かって歩き、椅子へ座ろうとするとき、頭をベッドへぶつけずに作業エリアへ入り易くなる。
さらに、作業テーブルに向かって座ったとき、頭の上方を覆うベッドの部分がなくなるので、鬱陶しさがなくなり、かつ不意に立ち上がっても、頭をベッドへぶつけにくくなる。したがって、ベッド下での快適な作業を可能にする。
【００１２】
なお、作業テーブルの前縁を、起立した可動部の前端位置と同程度にすると、可動部を起立状態にしたとき、作業テーブルに向かって座った作業者の頭上に、水平方向に突出するロフトベッドの部分がなくなるので、作業テーブルへ向かって歩いて椅子へ座ろうとするときや、椅子に座った状態から不意に立ち上がるとき、頭をベッドへ確実にぶつけないようにすることができる。また、作業中に頭の上方を覆うベッドが存在しなくなるので、鬱陶しさがなくなる。したがって、ベッド下での作業をさらに快適にする。
【図面の簡単な説明】
【００１３】
【図１】本願に係るシステムベッドの正面図（ベッド使用時、以下図７まで同じ）
【図２】本願に係るシステムベッドの左側面図
【図３】本願に係るシステムベッドの右側面図
【図４】本願に係るシステムベッドの平面図
【図５】図１の５−５線断面図
【図６】図５における可動部を主とする拡大断面図
【図７】作業テーブルの使用状態を示す断面図
【図８】システムベッドの平面図（ベッド不使用時、図１１まで同じ）
【図９】システムベッドの正面図
【図１０】可動部を起立状態にした状態の図５に対応する断面図
【図１１】図１０における可動部を主とする部分の拡大断面図
【発明を実施するための形態】
【００１４】
以下、図面に基づいて実施形態を説明する。
まず、図１〜図７を中心にして、ベッド使用時状態のシステムベッド１０について説明する。なお、図１〜図７はベッドの使用状態、図８〜図１１は不使用時に係るものである。システムベッド１０は、上方のロフトベッド２０を有する上部構造と、下方の作業テーブル３０を有する下部構造とで構成されている（図２、図３参照）。
【００１５】
システムベッド１０は、左側枠１３、背板１４及び右側枠１５からなる枠体を有する（図４参照）。左側枠１３、背板１４及び右側枠１５は平面視でコ字状に連結し、前方へ開放された空間を形成する。
この枠体が形成する空間は、ロフトベッド２０により上下に分割され、上方はベッドエリア１１、下方は作業エリア１２になっている。ベッドエリア１１は上部構造に含まれ、作業エリア１２は下部構造に含まれる。
【００１６】
ロフトベッド２０は後述するように、常時寝た状態に設けられた常設部２１と、起伏自在をなす可動部２２とに２分されている。可動部２２を起立させると、ベッドを使用不可能もしくは使用不適な状態の幅とし、ベッド不使用時になる。
【００１７】
作業エリア１２には作業テーブル３０が設けられる（図１）。作業エリア１２は作業テーブル３０によりさらに上下に２分され、作業テーブル３０の上方は、デスクワーク等のための作業スペースをなす。
作業テーブル３０の下方は収納スペースをなし、ここには、中央に椅子４０が配置され、その左右には袖机４１，４２が間隔を持って配置される。各袖机４１，４２にはそれぞれ適宜数の引き出しが設けられている。
【００１８】
作業テーブル３０は袖机４１，４２とともに両袖机をなす。この場合、作業テーブル３０は両袖机の天板をなす。
袖机４１，４２は、作業テーブル３０へ固定されず、作業テーブル３０の下へ出し入れ自在になっている。
また、作業テーブル３０の中央下側には引き出し３１が、左右の袖机４１，４２間に設けられている。引き出し３１は必要により設けられる。
【００１９】
右側の袖机４２と右側枠１５との間には、ロッカー４３が設けられている。ロッカー４３はロフトベッド２０の下から床Ｆにまで達する背の高いものになっており、前方へ開くドアを有し、これを開いて長尺物品を収納可能になっている。
【００２０】
左側枠１３に沿って、ハシゴ５０が上下方向に配置され、ロフトベッド２０と床Ｆとの間に立て掛けられている。ハシゴ５０は、図１に実線で示す立て掛け状態と、仮想線で示す収納状態との間に回動できる。
また、ハシゴ５０の下端が床面上に当接することにより、ハシゴ５０が可動部２２における左側枠１３側の支持にもなっている（図２）。
【００２１】
図２及び３に示すように、システムベッド１０の高さ、すなわち枠体の全高はＨであり、左側枠１３及び右側枠１５も同じ高さになっている。ただし、背板１４は室内の壁面（図示省略）に沿うように配置される部材であり、上端部がロフトベッド２０の高さ、下端は作業テーブル３０より若干低い位置にあり、背抜きされて軽量になっている。
作業テーブル３０の高さをＨ１、ロフトベッド２０の高さをＨ２とする。
【００２２】
作業テーブル３０の高さＨ１は、作業者Ｍ（図５）の座高を基準に決定される。
作業者Ｍが椅子４０に腰掛けた状態で、作業テーブル３０上にて快適に作業できる高さになっている。なお、作業テーブル３０の大きさも作業者Ｍにとって十分な作業スペースが得られるように設定される。
【００２３】
図４に示すように、システムベッド１０は長さＬ、幅Ｗ（Ｌ＞Ｗ）をなす。
システムベッド１０の幅Ｗは、ロフトベッド２０の幅が可変であるため、ベッド使用時におけるシステムベッド１０の最大幅であり、可動部２２を倒伏状態にしたときその前縁２２ａより突出するラッチ５４を含む（図３）。
【００２４】
以下、各部の詳細を説明する。
図２に示すように、左側枠１３と右側枠１５は幅を異にし、左側枠１３の幅Ｗ１よりも右側枠１５の幅Ｗ２が大きい（Ｗ１＜Ｗ２）。
左側枠１３は、ロフトベッド２０の常設部２１、作業テーブル３０並びに両袖机４１及び４２を側方から覆うためのものでもある。幅Ｗ１とすることによりこれらを覆い、左側枠１３の前端部は、作業テーブル３０の前縁部３０ａに一致している。
なお、倒伏状態における可動部２２の前縁部２２ａは、左側枠１３の前端部よりもさらにＡなる寸法で前方へ突出している。
【００２５】
図３に示すように、右側枠１５は、ロッカー４３の側方を覆うためのものでもある。ロッカー４３は右側枠１５の幅Ｗ２と略等しい奥行き幅を有する。
したがって、その幅Ｗ２はＷ１より長く、常設部２１及び作業テーブル３０の前縁部３０ａよりもさらに前方へ突出している。倒伏状態における可動部２２の前縁部２２ａは、右側枠１５の前端部よりもさらに前方へ突出している。その突出量はＢなる寸法である。
【００２６】
図４に示すように、ロフトベッド２０（使用時）は、長さＬ及び幅Ｗに近い長さＬ１及び幅ＢＷを備えた平面視略長方形をなしている。
ロフトベッド２０の幅ＢＷは、左側枠１３及び右側枠１５の幅Ｗ１、Ｗ２よりも大きい。なお、左側枠１３の幅Ｗ１は作業テーブル３０の幅とほぼ同じである。
【００２７】
ロフトベッド２０は長さ方向に沿う分割線Ｖ（図４）により、常設部２１と可動部２２に２分され、常設部２１と可動部２２はヒンジ２３にて連結されている。
常設部２１の長さ方向両端部は、左側枠１３及び右側枠１５の内面へボルト止め等により、常時水平状態の寝た状態になるように固定されている。
可動部２２は、常設部２１と連続平面をなすように寝る倒伏状態（図５）と、起立状態（図１０参照）とに可変である。
【００２８】
可動部２２を倒伏状態にすると、ロフトベッド２０を十分な幅のあるベッドとして使用でき、ベッドは使用状態になる（図４）。また、可動部２２を起立状態にすると、ベッドを不使用状態にするとともに、後述するように、作業テーブル３０に向かって快適な使用を可能にする（図１０参照）。
【００２９】
ロフトベッドの幅をＢＷとし、常設部２１の幅をＢＷ１、可動部２２の幅をＢＷ２（ＢＷ１＞ＢＷ２）とする。可動部２２の幅ＢＷ２は、前縁部２２ａと背面側端部２２ｃ（図６）間の寸法であり、前縁部２２ａから突出するラッチ５４を含めない。
ベッド使用時の可動部２２は、右側枠１５より若干長く前方へ突出し、必要なベッドの幅ＢＷを確保している（図２）。
【００３０】
ロフトベッド２０の使用時における幅ＢＷは、常設部２１の幅ＢＷ１と可動部２２の幅ＢＷ２の合計である。すなわち、可動部２２を倒伏状態にすると、常設部２１と可動部２２は連続する面一のベッドになる。このときロフトベッド２０の幅はＢＷなる広いものとなり、快適なベッドとしての必要な幅を確保している（図４、５）。
【００３１】
可動部２２の前端にはガード２４が着脱自在に設けられている。ガード２４は、ロフトベッド２０における前方側の脱落防止枠であり、下端を可動部２２の前端部へ差し込み式で取り付けられている。可動部２２を倒伏状態にしたベッドの使用状態におけるガード２４の高さ（先端部の位置）は、左側枠１３及び右側枠１５の高さと同程度である（図２）。
【００３２】
図１に示すように、ガード２４は可動部２２の前縁２２ａに沿って、その長さ方向ほぼ全長に設けられている。ただし、左側枠１３側はハシゴ５０の幅程度の間隙が設けられ、ここからハシゴ５０を通ってロフトベッド２０上へ出入できる。
【００３３】
図１及び図５に示すように、作業テーブル３０は、左側枠１３とロッカー４３の対抗する内壁間にボルト止め等適宜方法で固定される。
作業テーブル３０の長さＬ２は、ロフトベッド２０の長さＬ１よりも、ロッカー４３の長さＬ３だけ短い（図１）。作業テーブル３０の幅Ｗ３は左側枠１３の幅Ｗ１とほぼ同じである（背板１４の板厚だけ狭い）。
【００３４】
作業テーブル３０の長さＬ２は、ロフトベッド２０の長さＬ１よりも、ロッカー４３の長さだけ短い。
作業テーブル３０の面積は、作業テーブル３０の上における十分な作業スペースを形成している。したがって、作業テーブル３０の幅Ｗ３を右側枠１５の幅Ｗ２と同じ程度に拡大する必要はない。
【００３５】
また、システムベッド１０の配置スペースを効率的にする観点より、作業テーブル３０を背板１４へ当接するまで、奥へ引き込ませることになる。このため、作業テーブル３０の前縁３０ａが、倒伏状態にある可動部２２の前縁２２ａより、寸法Ａだけ引き込んでいることになる（図５）。
【００３６】
図５に示すように、倒伏状態にある可動部２２は、右側枠１５の前端より前方へ突出し、その底面２２ｂの前端部右側はＬ字金具４４に支持されている（図１参照）。
なお、底面２２ｂは外観部として壁紙等の装飾材を設ける等、室内の内装材と同様の装飾的処理が施されている。
【００３７】
倒伏状態の可動部２２は、水平に寝た状態で回り止めされる。この回り止めは、図中の丸囲み拡大部に示すように、可動部２２の背面側端部２２ｃが常設部２１の前縁２１ａに当接することによる。また、可動部２２の先端部左側がハシゴ５０により、右側がＬ字金具４４（図１）により支持されて回り止めされている。
【００３８】
作業テーブル３０の前縁３０ａは、倒伏状態の可動部２２の前縁２２ａより寸法Ａだけ奥へ引き込んで位置している。前縁３０ａの位置は、分割線Ｖの前方になる線Ｄに重なっている。この線Ｄは起立状態にある可動部２２の底面２２ｂに沿って垂下した線であり、ベッド不使用時にあるシステムベッド１０の前端部を示している（図１０参照）。
【００３９】
このようなシステムベッド１０では、その前方に向かって立った作業者Ｍの頭が可動部２２の前縁部２２ａの前方に位置することが多い。そこで、作業者Ｍが不用意に作業テーブル３０の前へ座ろうとすると、頭が可動部２２の前縁部２２ａへぶつかり易くなる。これを避けて作業テーブル３０の前へ座るには、頭を下げ、腰をかがめて作業エリア１２へ入る必要がある。
【００４０】
作業テーブル３０及び引き出し３１の下方には椅子４０が収納されている。椅子４０はロッカー４３の前端より作業テーブル３０側へ入り込み、作業テーブル３０と上下方向にて一部が重なる収納状態をなす。
このようにすることで、作業テーブル３０の使用時に、椅子４０がロッカー４３より前方へ突出せずに収納され、作業テーブル３０での作業をしないときにおけるシステムベッド１０がコンパクトになる。
【００４１】
常設部２１の底面で、背板１４に近い位置に遮光カバー３２が設けられている。遮光カバー３２は背板１４に間隔を持って長さ方向に平行し、作業テーブル３０の長さＬ２とほぼ同じ長さに配置され、作業エリア１２内へ垂下して設けられている。
遮光カバー３２と背板１４の間には、直管状をなす蛍光灯又はＬＥＤの照明３３が、遮光カバー３２と平行し、ほぼ同じ長さで設けられている。
【００４２】
右側枠１５の内壁面（ベッドエリア１１に臨む面）における上部前端側部には、ロック穴１７（図５）が設けられている。このロック穴１７は、可動部２２を起立させたとき、その先端部を固定するためのものである。可動部２２の底面２２ｂにおける右側先端にはロック１８が設けられ、このロック１８のロック部が嵌合するようになっている（図８参照）。
【００４３】
図９の丸囲み拡大部に示すように、ロッカー４３の右上部外側と右側枠１５の内面との間にＬ字形金具４４が設けられている。Ｌ字形金具４４は直角に屈曲する垂直部と水平部を備える。垂直部は、右側枠１５の内面へ固定されている。水平部は略水平にロッカー４３の天板上方へ突出して、常設部２１の底面に当接してこれを支持している。また倒伏状態の可動部２２の底面２２ｂに当接してこれを支持する。
【００４４】
図１に示すように、ハシゴ５０は倒伏状態の可動部２２の前縁２２ａと床面との間に斜めに架け渡されるものであり、左右に平行する柱５１と、これらを横に連結する棒状をなす複数のステップ５２を備える。
左側の柱５１の上端は、ユニバーサル形式のジョイント５３により、可動部２２の前縁２２ａへ取り付けられている。
したがって、ハシゴ５０は、ジョイント５３を中心に回動可能となり、正面視で上下方向の使用状態と、略水平にガード２４に重なってその長さ方向へ延びる収納状態（図１の仮想線）とに可変である。
【００４５】
可動部２２の前縁２２ａには、右側枠１５寄りで柱５１の下端部が当接する位置にラッチ５４が設けられ、ここに回動した収納状態の柱５１の下端部を係合保持可能になっている（図７参照）。
柱５１の下端には球状アジャスター５５が設けられ、ハシゴ５０の立て掛け時における角度を調整可能になっている（図２参照）。
【００４６】
次に、各部の詳細な寸法関係を説明する。
このシステムベッド１０は、身長が１．５ｍ程度の未成年者を標準として構成されている。但し、２ｍ程度以下の身長で使用可能である。各部の具体的な寸法例は以下の通りである。
システムベッド１０の高さＨ＝１．８ｍ、作業テーブル３０の高さＨ１＝５０〜７０ｃｍ、ロフトベッド２０の高さＨ２＝１．５ｍ、Ｈ１とＨ２の差Δｈ１＝８０〜１００ｃｍ、ＨとＨ２との差Δｈ２＝３０ｃｍ
システムベッド１０の長さＬ＝２．１ｍ、ロフトベッド２０の長さＬ１＝２．０３ｍ、作業テーブル３０の長さＬ２＝１．５８ｍ、ロッカー４３の長さＬ３＝４５ｃｍ
システムベッド１０の幅Ｗ＝１．０５ｍ（ラッチ５４が５ｃｍの場合）、左側枠１３の幅Ｗ１＝７０ｃｍ、右側枠１５の幅Ｗ２＝９０ｃｍ、作業テーブル３０の幅Ｗ３＝６６．５ｃｍ
ロフトベッド２０の幅ＢＷ＝１ｍ、常設部２１の幅ＢＷ１＝７０ｃｍ、可動部２２の幅ＢＷ２＝３０ｃｍ
作業テーブル３０の引き込み量Ａ＝３０ｃｍ、倒伏状態における可動部２２の前縁２２ａが右側枠１５の前端から突出する量Ｂ＝１０ｃｍ
このように構成すると、図１０において、椅子４０に座った作業者Ｍの頭とベッドとのクリアランスＣ＝１０〜３０ｃｍとなり、十分なクリアランスが確保される。
【００４７】
上記具体的な寸法はいずれも一例である。
Ｈ１は作業者の座高を基準に決定される。作業者Ｍが椅子４０に腰掛けた状態で、作業テーブル３０上にて快適に作業できる高さになっている。なお、作業テーブル３０の幅はほぼＷ１であるが、この幅も作業者Ｍにとって十分なスペースとなるように設定される。
Δｈ１は作業テーブル３０の上方空間が快適な作業スペースとなるように設定される。
Δｈ２はベッド使用時における妥当なガード高さとなるように設定される。
Ｈ２はΔｈ１とΔｈ２を勘案して設定される。
【００４８】
次に、使用方法を説明する。ロフトベッド２０を使用するときは、図１〜６に示すように、可動部２２を倒伏状態とする。すると、常設部２１と可動部２２が連続する平面をなしてベッドとしての使用が可能となる。
【００４９】
このとき、図６の丸囲み拡大部に示すように、可動部２２の背面側端部２２ｃが常設部２１の前縁２１ａに当接することによっても回り止めとなる。
また、可動部２２の右側前端部は、底面がＬ字形金具４４により支持される（図９参照）。左側前端部は下端が床Ｆに当接したハシゴ５０により支持されている（図２）。したがって、安定した倒伏状態になっており、十分に広い幅ＢＷなるベッドとして快適に使用できる。
【００５０】
作業テーブル３０を使用するには、図８〜１１に示すように、可動部２２を起立させてベッドを不使用状態にする。このとき、可動部２２を起立させるのに先だってまずハシゴ５０を回動させ、ガード２４の前面に沿わせ、ハシゴ５０の柱５１のうち前縁２２ａに重なるものの下端部をラッチ５４に係合させる（図７）。これにより、ハシゴ５０は、図１の仮想線で示す収納状態になる。
【００５１】
続いて、可動部２２を起立状態とし、図８〜図１１に示す状態にする。このとき、可動部２２はヒンジ２３を中心に回動し、略９０°反時計回りに回動し、可動部２２が略垂直に起立する。
起立状態の可動部２２は、図８の丸囲み拡大部に示すような適当なロック１８により右側枠１５の上部へ固定される。この例のロック１８は伸縮ロッド１９を備え、この伸縮ロッド１９（ロック部）を右側枠１５に設けられているロック穴１７へ嵌合する。これにより、可動部２２は起立状態を維持する。
【００５２】
このとき、一緒に回動するガード２４とハシゴ５０は、常設部２１の上方へ重なるように、略水平となってベッドエリア１１上へ収納され、外観されなくなる。
その結果、図９に示すように、ベッドエリア１１は可動部２２の底面２２ｂにより塞がれ、ロフトベッド２０の存在をうかがえなくする。また、常設部２１上に置いた布団などの収納物品２５（図１０）も外観されない。
【００５３】
したがって、ロフトベッド２０があたかも存在しないかのように、ロフトベッド２０部分を隠す目隠しとなる。しかも、装飾的にされた底面２２ｂは、あたかも室内を装飾する内装材の一部のように機能し、ベッド不使用時の外観をさらに向上させる。
このとき、可動部２２の幅ＢＷ２を左側枠１３等がロフトベッド２０より上方へ突出する高さ△ｈ２と同程度にすれば、ベッドエリア１１を確実に塞ぐことができる。
【００５４】
このように、ベッドを不使用状態にすると、作業テーブル３０より前方へ突出していたロフトベッド２０の部分（可動部２２）がほぼなくなるので、作業者Ｍは、可動部２２へぶつかることなく作業エリア１２の前へ立つことができる。そこで、頭を下げたり、腰を屈めることなくスムーズに椅子４０へ腰掛けて作業テーブル３０の前へ座ることができ、作業テーブル３０上における作業が可能になる（図１０）。このとき、椅子４０及び作業者Ｍの上体の大部分は、可動部２２の下方位置よりも前方へ出ている。
【００５５】
この状態で作業者Ｍが作業テーブル３０の前に座ると、その頭は、起立した可動部２２の底面２２ｂの位置を示す線Ｄよりも前方となる位置関係にある（図１０）。また、作業者Ｍは作業テーブル３０より若干前方に位置するから、頭上にはベッドが存在せず、かつベッドの下端と頭の間には十分なクリアランスＣがあるので、作業者Ｍは、頭上の鬱陶しさがなくなり、快適に作業できる。
しかも、作業状態から不意に立ち上がっても、頭がベッドにぶつかるおそれが少なくなり、快適さが増進する。
【００５６】
なお、本願発明は上記の実施例に限定されるものではなく、発明の原理内において種々に変形や応用が可能である。
例えば、システムベッド１０は、ロフトベッド２０を有する上部構造と、作業テーブル３０を有する下部構造からなるものであれば、各部もしくは各部における細部を組み立て式にしたものや、展開式にしたもの等、いかなる構成のものでもよい。
作業テーブル３０の前縁３０ａの位置は、起立した可動部２２の底面２２ｂに沿って垂下する線Ｄと重なる位置もしくはこれより奧側へ引き込んだ位置にすることが好ましい（図５、１０参照）。ただし、常設部２１と可動部２２の分割部、すなわち分割線Ｖを垂下したものと重なる位置程度にしてもよい。この位置ならば、頭がベッド側へぶつかりにくくなる。
【００５７】
作業テーブル３０は、両袖机のような机を構成し、その天板をなすものでなく、単に一枚の板材からなるテーブルでもよい。また、デスクワークのような軽作業用でなく、機械加工等をするための比較的厚い肉厚を有する作業台でもよい。
ロック１８は、伸縮ロッド１９を有するものばかりでなく、公知のものが種々可能である。
ヒンジ２３も平蝶番形式に限らず公知のものが種々可能である。
ジョイント５３はボールジョイントに限らず公知のものが種々可能である。
ラッチ５４は図示のものに限らず、ハシゴ５０を係止する種々の構造が可能である。
【符号の説明】
【００５８】
１０：システムベッド、１１：ベッドスペース、１２：作業スペース、１３：左側枠、１４：背板、１５：右側枠、２０：ロフトベッド、２１：常設部、２２：可動部、２３：ヒンジ、２５：収納物品、３０：作業テーブル、５０：ハシゴ
【要約】
【課題】上部にロフトベッド、その下方に作業テーブルを備えたシステムベッドでは、作業テーブルがロフトベッドの下方へ引き込んでいるため、作業中に不意に立ち上がるとロフトベッドへぶつかる等の不都合があり、ロフトベッド下における快適な作業を損なっていた。
【解決手段】ロフトベッド２０を長さ方向に沿って常設部２１と可動部２２に２分し、常設部２１を水平な状態に固定し、可動部２２を起立状態と倒伏状態の間で可変とし、かつ作業テーブル３０の前縁を常設部２１の前縁と同程度にした。可動部２２を起立状態にすると、作業者の頭上にベッドが存在せず、快適な使用が可能になるとともに、可動部２２の底部２２ｂがベッドエリア１１を塞ぎ、ベッド不使用時の外観を向上する。
【選択図】図１０【図１】
0006837172.tif 000002
【図２】
0006837172.tif 000003
【図３】
0006837172.tif 000004
【図４】
0006837172.tif 000005
【図５】
0006837172.tif 000006
【図６】
0006837172.tif 000007
【図７】
0006837172.tif 000008
【図８】
0006837172.tif 000009
【図９】
0006837172.tif 000010
【図１０】
0006837172.tif 000011
【図１１】
0006837172.tif 000012